(57)【要約】【課題】フィルタ部品を構成するコモンモードチョークコイルとリアクトルとで互いに独立に巻数を設計する【解決手段】フィルタ部品１は、巻線３ａと、巻線３ａとは別に通電される巻線４と、巻線３ａに直列接続される巻線３ｂと、巻線３ａ，４，３ｂが巻き回されて磁路が形成される磁心２とを備える。また磁心２は、巻線３ａ，４が鎖交するとともに巻線３ｂが鎖交することなく磁束が周回する磁気経路ＭＰ１と、巻線３ａ，３ｂが鎖交するとともに巻線４が鎖交することなく磁束が周回する磁気経路ＭＰ２とを形成することが可能な形状に形成される。さらに巻線３ａ，４は、磁気経路ＭＰ１に囲まれた開口部に電流が流れ込む向きが互いに逆となるように磁心２に巻き回される。また巻線３ａ，３ｂは、磁気経路ＭＰ２に囲まれた開口部に電流が流れ込む向きが互いに同じとなるように磁気経路ＭＰ２に巻き回される。【選択図】図１
2014207373.tif 000002
【特許請求の範囲】
【請求項１】
導線を巻き回して形成された第１巻線（３，３ａ，３ｃ，３ｅ，３ｇ，１０３ａ，２０５）と、
前記第１巻線とは別に通電され、導線を巻き回して形成された第２巻線（４，４ｄ，８，１０４ａ，２０６）と、
導線を巻き回して形成され、前記第１巻線に対して直列接続される第３巻線（３ｂ，３ｆ，３ｈ，１０３ｂ，２０５）と、
前記第１巻線、前記第２巻線および前記第３巻線が巻き回されて、前記第１巻線、前記第２巻線および前記第３巻線への通電で生じる磁束により磁路が形成される磁心（２，１０２，２０２，２０３，２０４）とを備え、
前記磁心は、その内部に、前記第１巻線および前記第２巻線が鎖交するとともに前記第３巻線が鎖交することなく前記磁心を磁束が周回する第１磁気経路（ＭＰ１，ＭＰ１１，ＭＰ２１，ＭＰ３１）と、前記第１巻線および前記第３巻線が鎖交するとともに前記第２巻線が鎖交することなく前記磁心を磁束が周回する第２磁気経路（ＭＰ２，ＭＰ１２，ＭＰ２２，ＭＰ３２）とを形成することが可能な形状に形成され、
前記第１巻線および前記第２巻線は、前記第１巻線から前記第２巻線にかけて通電した場合に、前記第１磁気経路に囲まれた開口部に電流が流れ込む向きが互いに逆となるように前記磁心に巻き回され、
前記第１巻線および前記第３巻線は、互いに直列に接続された前記第１巻線および前記第３巻線に通電した場合に、前記第２磁気経路に囲まれた開口部に電流が流れ込む向きが互いに同じとなるように前記磁心に巻き回される
ことを特徴とするフィルタ部品（１，１０１，２０１）。
【請求項２】
前記磁心は、その内部に、前記第１磁気経路および前記第２磁気経路に加えて、前記第２巻線および前記第３巻線が鎖交するとともに前記第１巻線が鎖交することなく前記磁心の内部を磁束が周回する第３磁気経路（ＭＰ３，ＭＰ１３，ＭＰ２３，ＭＰ３３）を形成することが可能な形状に形成され、
前記第２巻線および前記第３巻線は、前記第３磁気経路に囲まれた開口部に電流が流れ込む向きが互いに同じとなるように前記磁心に巻き回される
ことを特徴とする請求項１に記載のフィルタ部品。
【請求項３】
導線を巻き回して形成され、前記第２巻線に対して直列接続される第４巻線（４ｃ，１０４ｂ，２０６）を備え、
前記第４巻線は、前記第３磁気経路に鎖交し、
前記第２巻線および前記第４巻線は、互いに直列に接続された前記第２巻線および前記第４巻線に通電した場合に、前記第３磁気経路に囲まれた開口部に電流が流れ込む向きが互いに同じとなるように前記磁心に巻き回される
ことを特徴とする請求項２に記載のフィルタ部品。
【請求項４】
前記第１巻線が前記第１磁気経路に鎖交する巻数は、前記第２巻線が前記第１磁気経路に鎖交する巻数数に等しい
ことを特徴とする請求項１〜請求項３の何れか１項に記載のフィルタ部品。
【請求項５】
前記第２磁気経路の磁気抵抗は、前記第１磁気経路の磁気抵抗より大きい
ことを特徴とする請求項１〜請求項４の何れか１項に記載のフィルタ部品。
【請求項６】
前記磁心は、少なくとも、
前記磁心に巻線が巻き回される部分の全てを含む第１磁心部と、
巻線が全く巻き回されていない部分である第２磁心部とにより構成され、
前記第２磁心部は前記第１磁心部の少なくとも一区間を除く全ての外縁を周回するように配置されている
ことを特徴とする請求項１〜請求項５の何れか１項に記載のフィルタ部品。
【請求項７】
前記第１巻線および前記第２巻線は、その一端部および他端部の少なくとも一方が、容量性のインピーダンスを有する素子または回路で構成されるノイズ除去部（７２，７３，７７，７８）を介して接地されている
ことを特徴とする請求項１〜請求項６の何れか１項に記載のフィルタ部品。
【請求項８】
前記第１巻線の一端部および他端部のうち前記第３巻線と接続される側の端部が、容量性のインピーダンスを有する素子または回路で構成される第１ノイズ除去部（７２）を介して接地され、
前記第２巻線の一端部が、容量性のインピーダンスを有する素子または回路で構成される第２ノイズ除去部（７３）を介して接地され、
前記第１巻線から前記第１ノイズ除去部を通ってグランドに至るまでの通電経路を第１通電経路とし、前記第２巻線から前記第２ノイズ除去部を通って前記グランドに至るまでの通電経路を第２通電経路として、前記第１通電経路および前記第２通電経路の何れか一方を経由してグランドに流れる電流を許容し、前記第１巻線から前記第２巻線にかけて前記第１巻線と前記第３巻線の間の前記端部と、前記第２巻線の前記一端部との間を結ぶように前記第１通電経路および前記第２通電経路の両方を経由して流れる電流を阻止する通電阻止部（７４）を備える
ことを特徴とする請求項７に記載のフィルタ部品。
【請求項９】
前記磁心は、少なくとも、
前記第１巻線が巻き回され、前記第１巻線への通電で生じる磁束の方向に沿って一端と他端を有する形状に形成された第１巻線用部材（１１）と、
前記第２巻線が巻き回され、前記第２巻線への通電で生じる磁束の方向に沿って一端と他端を有する形状に形成された第２巻線用部材（１２）と、
前記第３巻線が巻き回され、前記第３巻線への通電で生じる磁束の方向に沿って一端と他端を有する形状に形成された第３巻線用部材（２１，２２）と、
前記第１巻線用部材の一端、前記第２巻線用部材の一端および前記第３巻線用部材の一端と連結される第１連結部材（１３）と、
前記第１巻線用部材の他端、前記第２巻線用部材の他端および前記第３巻線用部材の他端と連結される第２連結部材（１４）とから構成される
ことを特徴とする請求項１〜請求項８の何れか１項に記載のフィルタ部品。
【請求項１０】
前記第１巻線が巻き回され、前記第１巻線への通電で生じる磁束の方向に沿って一端と他端を有する形状に形成された第１巻線用部材と、
前記第２巻線が巻き回され、前記第２巻線への通電で生じる磁束の方向に沿って一端と他端を有する形状に形成された第２巻線用部材と、
前記第３巻線と第４巻線が巻き回され、前記第３巻線および前記第４巻線への通電で生じる磁束の方向に沿って一端と他端を有する形状に形成された第４巻線用部材（２１，２２）と、
前記第１巻線用部材の一端、前記第２巻線用部材の一端および前記第４巻線用部材の一端と連結される第３連結部材（１３）と、
前記第１巻線用部材の他端、前記第２巻線用部材の他端および前記第４巻線用部材の他端と連結される第４連結部材（１４）とから構成される
ことを特徴とする請求項３に記載のフィルタ部品。
【請求項１１】
前記第１巻線および前記第２巻線とは別に通電され、導線を巻き回して形成された第５巻線（９）を備え、
前記第５巻線は、前記第１磁気経路に鎖交するように前記磁心に巻き回される
ことを特徴とする請求項１〜請求項１０の何れか１項に記載のフィルタ部品。
【発明の詳細な説明】
【技術分野】
【０００１】
本発明は、コモンモードチョークコイルとリアクトルの機能を有するフィルタ部品に関する。
【背景技術】
【０００２】
電力機器の小型化および軽量化の要求に対応するために、近年の電力変換器は高周波で駆動されるようになってきた。高周波駆動では、入出力電流に重畳する電流リプルが少なく、かつ、入出力電圧に重畳する電圧リプルが小さくなる傾向がある。このため、電力変換器の体格に対する支配的要因である、平滑コンデンサおよび平滑リアクトルの体格を低減することができ、機器全体の小型化および軽量化に寄与することができる。
【０００３】
高周波駆動が可能になった背景として、半導体素子の性能が向上し、高速なスイッチングができるようになったことが挙げられる。高速なスイッチングでは、周波数に比例する特徴を有するスイッチング損失を低減できるため、高周波駆動においても効率悪化を抑制できるようになる。
【０００４】
しかし、高速なスイッチングを行うと、ＥＭＩ（Electro-Magnetic Interference）の規制の対象となる高周波のコモンモードノイズが発生しやすい。このため、コモンモードノイズを除去するコモンモードフィルタを追加する必要がある。したがって、高周波駆動を行っても、機器の小型化および軽量化の効果が期待したほど得られないという問題がある。
【０００５】
コモンモードフィルタの追加例として、出力に配置されたバッテリの充電経路に、ディファレンシャルモードノイズの伝達を抑制するリアクトルと、コモンモードノイズの伝達を抑制するコモンモードチョークコイルとを互いに直列に配置した電力変換装置が挙げられる（例えば、特許文献１を参照）。このような電力変換装置は、高速スイッチングとは関係なく従前から用いられてきたものであり、バッテリへ高調波ノイズが流れ込むことでバッテリの特性が劣化する問題を防ぐための装置であり、コモンモードチョークコイルの追加によりコモンモードノイズの流出を防いでいる。
【０００６】
しかし、上記リアクトルと上記コモンモードチョークコイルは別々の磁心上に形成されている。したがって、コモンモードチョークコイルを追加するには磁心と巻線の両方の追加が必要であり、且つ、コモンモードチョークコイルを追加するとデッドスペースも増大するため、さらに機器全体の体格が増大するという問題があった。
【０００７】
この問題の解決策として、別々の磁心上に形成されてきたリアクトルとコモンモードチョークコイルを一体の磁心上に構成する技術が考えられる（例えば、特許文献２を参照）。特許文献２に記載の技術では、ＥＥ型磁心において、両外足それぞれに巻線を設ける。このとき、外足に設けた巻線の両方に鎖交する磁気経路は、コモンモードチョークコイルを形成し、巻線の一方と中足によって形成される磁気経路はリアクトルを形成する。結果として、一体的磁心上に、リアクトルの機能とコモンモードチョークコイルの機能の両方を実装することができる。
【先行技術文献】
【特許文献】
【０００８】
【特許文献１】特開２００９−２１３２０２号公報
【特許文献２】特許第３２３６８２５号公報
【発明の概要】
【発明が解決しようとする課題】
【０００９】
しかし、特許文献２に記載の技術では、リアクトルの経路上に設けられた巻数と、コモンモードチョークコイルの経路上に設けられた巻数（一方の巻線における巻数）とが必ず等しくなるため、リアクトル用の巻数とコモンモードチョークコイル用の巻数を互いに独立して設計することができないという問題があった。
【００１０】
一般に、直流磁束を発生させるリアクトルでは、直流電流による磁気飽和を防ぐ観点からギャップ等により十分な磁気抵抗を設ける必要がある。そして、磁気抵抗を増大させた上で所望のインダクタンスを稼ぐために、リアクトルの巻数を十分に多くしなければならない。したがって、リアクトルの巻数は、交流磁束だけを発生させるためギャップが不要なコモンモードチョークコイルと比較して多くなるように設計することが通例である。
【００１１】
しかし、特許文献２に記載の技術では、両者の巻数を独立して設計できないため、これまで個別のリアクトルに用いていた巻線の巻数と同数の巻線を二つ設けることになる。したがって、磁心が一体化されてデッドスペースの低減が図られた一方で、巻線の体格は却って増大するおそれがある。
【００１２】
また、巻線数の過剰な増加は、体格増加だけではなく、コモンモードノイズ除去能力にも悪影響をもたらす。なぜなら、一般にコモンモードノイズは、コモンモードチョークコイルによってその伝達を阻止しようとしても、巻線間の寄生容量を介してノイズが伝達するおそれがあるからである。このためコモンモードチョークコイルでは、巻線間に大きな寄生容量が発生しないように、巻数を限定し且つ巻線間にある程度の幅をもたせることが多い。ところが、特許文献２に記載の技術では、コモンモードチョークコイルとリアクトルとで独立に巻数を設計することができない。このため、巻数が多いリアクトルの巻数に合わせてコモンモードチョークコイルを設計することになり、結果として寄生容量が増大し、コモンモード除去性能の低下につながりやすい。
【００１３】
本発明は、こうした問題に鑑みてなされたものであり、フィルタ部品を構成するコモンモードチョークコイルとリアクトルとで互いに独立に巻数を設計することができる技術を提供することを目的とする。
【課題を解決するための手段】
【００１４】
上記目的を達成するためになされた請求項１に記載のフィルタ部品は、導線を巻き回して形成された第１巻線と、第１巻線とは別に通電され、導線を巻き回して形成された第２巻線と、導線を巻き回して形成され、第１巻線に対して直列接続される第３巻線と、第１巻線、第２巻線および第３巻線が巻き回されて、第１巻線、第２巻線および第３巻線への通電で生じる磁束により磁路が形成される磁心とを備え、磁心は、その内部に、第１巻線および第２巻線が鎖交するとともに第３巻線が鎖交することなく磁心を磁束が周回する第１磁気経路と、第１巻線および第３巻線が鎖交するとともに第２巻線が鎖交することなく磁心を磁束が周回する第２磁気経路とを形成することが可能な形状に形成され、第１巻線および第２巻線は、第１巻線から第２巻線にかけて通電した場合に、第１磁気経路に囲まれた開口部に電流が流れ込む向きが互いに逆となるように磁心に巻き回され、第１巻線および第３巻線は、互いに直列に接続された第１巻線および第３巻線に通電した場合に、第２磁気経路に囲まれた開口部に電流が流れ込む向きが互いに同じとなるように磁心に巻き回されることを特徴とする。
【００１５】
このように構成された請求項１に記載のフィルタ部品は、第１巻線および第２巻線が鎖交する第１磁気経路を備え、第１巻線および第２巻線は、第１磁気経路に囲まれた開口部に電流が流れ込む向きが互いに逆となるように巻き回されている。すなわち第１磁気経路は、周知のコモンモードチョークコイルを構成する。
【００１６】
さらに、請求項１に記載のフィルタ部品は、互いに直列接続された第１巻線および第３巻線が鎖交する第２磁気経路を備え、第１巻線および第３巻線は、第２磁気経路に囲まれた開口部に電流が流れ込む向きが互いに同じとなるように巻き回されている。すなわち第２磁気経路は、第１巻線の巻数と第３巻線の巻数とを加算した巻数で巻線が磁心に巻き回されたリアクトルを構成する。
【００１７】
このため、請求項１に記載のフィルタ部品は、コモンモードチョークコイルとリアクトルの機能を有する。
さらに、コモンモードチョークコイルの巻数は、第１巻線と第２巻線の巻数により決定され、リアクトルの巻数は、第１巻線と第３巻線の巻数により決定される。このため、第１巻線と第２巻線の巻数を変えることなく第３巻線の巻数を変えることにより、コモンモードチョークコイルの巻数を変えることなくリアクトルの巻数を変えることができる。
【００１８】
従って、請求項１に記載のフィルタ部品によれば、フィルタ部品を構成するコモンモードチョークコイルとリアクトルとで互いに独立に巻数を設計することができる。
【図面の簡単な説明】
【００１９】
【図１】第１実施形態のフィルタ部品１の構成を示す平面図である。
【図２】図１の等価回路を示す図である。
【図３】図２と同じ機能を有する回路を示す図である。
【図４】第２実施形態のフィルタ部品１の構成を示す平面図である。
【図５】図４の等価回路を示す図である。
【図６】第３実施形態のフィルタ部品１の構成を示す平面図である。
【図７】第４実施形態のフィルタ部品１の構成を示す平面図である。
【図８】第５実施形態のフィルタ部品１の構成を示す平面図である。
【図９】第６実施形態のフィルタ部品１の構成を示す平面図である。
【図１０】第７実施形態のフィルタ部品１の構成を示す平面図である。
【図１１】図１０の等価回路を示す図である。
【図１２】第８実施形態のフィルタ部品１の構成を示す平面図である。
【図１３】図１２の等価回路を示す図である。
【図１４】第９実施形態のフィルタ部品１の構成を示す平面図である。
【図１５】図１４の等価回路を示す図である。
【図１６】第１０実施形態のフィルタ部品１０１の構成を示す平面図である。
【図１７】第１１実施形態のフィルタ部品２０１の構成を示す平面図である。
【図１８】本実施形態のフィルタ部品の第１の適用例を示す図である。
【図１９】本実施形態のフィルタ部品の第２の適用例を示す図である。
【図２０】本実施形態のフィルタ部品の第３の適用例を示す図である。
【図２１】本実施形態のフィルタ部品の第４の適用例を示す図である。
【図２２】図２１の等価回路を示す図である。
【発明を実施するための形態】
【００２０】
（第１実施形態）
以下に本発明の第１実施形態を図面とともに説明する。
本実施形態のフィルタ部品１は、図１に示すように、磁心２と巻線３，４を備える。
【００２１】
磁心２は、矩形枠状に形成された磁性体１０（以下、枠状磁心部材１０という）と、枠状磁心部材１０の枠内に配置される磁性体２１，２２（以下、中足磁心部材２１，２２という）とから構成されている。
【００２２】
枠状磁心部材１０は、枠状磁心部材１０の矩形の４辺のうちの左辺を構成する左辺部材１１と、右辺を構成する右辺部材１２と、上辺を構成する上辺部材１３と、下辺を構成する下辺部材１４とから構成されている。
【００２３】
中足磁心部材２１は、枠状磁心部材１０の矩形を構成する４辺の部材のうちの上辺部材１３から、枠状磁心部材１０の枠内に向かって、上辺部材１３に対して垂直方向に突出するように配置されている。
【００２４】
中足磁心部材２２は、枠状磁心部材１０の矩形を構成する４辺の部材のうちの下辺部材１４から、枠状磁心部材１０の枠内に向かって、下辺部材１４に対して垂直方向に突出するように配置されている。また中足磁心部材２２は、中足磁心部材２１に対して予め設定された間隔（離間距離Ｄｇを参照）を空けて、中足磁心部材２２の突出方向に沿って中足磁心部材２１と対向するように配置されている。これにより、中足磁心部材２１と中足磁心部材２２との間にギャップ２３が形成される。
【００２５】
巻線３は、左辺部材１１および中足磁心部材２１，２２のそれぞれに巻き回される。なお、左辺部材１１における巻線３の巻数はＮ（Ｎは正の整数）、中足磁心部材２１，２２における巻線３の巻数はＮ’（Ｎ’は正の整数）である。
【００２６】
以下、巻線３のうち、左辺部材１１に巻き回されている部分を巻線３ａ、中足磁心部材２１，２２に巻き回されている部分を巻線３ｂという。
そして巻線３は、巻線３の一端３１から他端３２に向けて電流が流れる場合に（図１中の矢印Ｉ3を参照）、まず左辺部材１１に巻き回されている部分から電流が流れ、その後に中足磁心部材２１，２２に巻き回されている部分に電流が流れるように巻き回されている。
【００２７】
さらに巻線３は、巻線３の一端３１から他端３２に向けて電流が流れる場合に、図１において左辺部材１１の上面を右側から左側に向けて電流が流れるように、左辺部材１１に巻き回されている。また巻線３は、巻線３の一端３１から他端３２に向けて電流が流れる場合に、図１において中足磁心部材２１，２２の上面を左側から右側に向けて電流が流れるように、中足磁心部材２１，２２に巻き回されている。
【００２８】
巻線４は、右辺部材１２に巻き回される。なお、右辺部材１２における巻線４の巻数はＮである。そして巻線４は、巻線４の一端４１から他端４２に向けて電流が流れる場合に（図１中の矢印Ｉ4を参照）、図１において右辺部材１２の上面を右側から左側に向けて電流が流れるように、右辺部材１２に巻き回されている。
【００２９】
次に、このように構成されたフィルタ部品１の動作原理を説明する。
フィルタ部品１内の磁束は、互いに独立した磁束φAと磁束φBの重ね合わせとして表すことができる。
【００３０】
磁束φBは、巻線３，４への通電で生じ、磁気経路ＭＰ１を形成する。磁気経路ＭＰ１は、左辺部材１１と、右辺部材１２と、上辺部材１３と、下辺部材１４の内部を通過する閉磁路である。
【００３１】
磁束φBは、巻線３ａと巻線４のみに鎖交する。また、磁気経路ＭＰ１上には、中足磁心部材２１と中足磁心部材２２との間に形成されているようなギャップ（ギャップ２３）が存在しないため、磁束φBのループ磁気経路（すなわち、磁気経路ＭＰ１）上において磁気抵抗が小さい。
【００３２】
したがって、磁束φBおよび巻線３ａ，４はコモンモードチョークコイルを形成する。磁束φBにより形成される磁気経路ＭＰ１でアンペールの法則を適用すると、磁気抵抗が十分無視できるとして、下式（１）の関係を得ることができる。
【００３３】
Ｎ×Ｉ3  −  Ｎ×Ｉ4  ＝  ０      ・・・（１）
そして、式（１）より、下式（２）の関係を得ることができる。
Ｉ3  ＝  Ｉ4        ・・・（２）
また、磁束φAの磁束量を一定にした状態で磁束φBを変化させたときに巻線３ａ，４に発生する誘導電圧Ｖ3a，Ｖ4は、下式（３）で表される。
【００３４】
【数１】
2014207373.tif 000003
式（１）〜式（３）により表される特徴は、図２に示すコモンモードチョークコイル５１と等価である。図２はフィルタ部品１の等価回路を示す図である。
【００３５】
コモンモードチョークコイル５１は、磁束φBが、巻数がＮである巻線５１ａと、巻数がＮである巻線５１ｂに鎖交するように構成されている。
磁束φAは、図１に示すように、巻線３，４への通電で生じ、磁気経路ＭＰ２，ＭＰ３を形成する。
【００３６】
磁気経路ＭＰ２は、左辺部材１１と、中足磁心部材２１，２２と、上辺部材１３および下辺部材１４における中足磁心部材２１，２２を挟んで左側の部分の内部を通過する閉磁路である。
【００３７】
磁気経路ＭＰ３は、右辺部材１２と、中足磁心部材２１，２２と、上辺部材１３および下辺部材１４における中足磁心部材２１，２２を挟んで右側の部分の内部を通過する閉磁路である。
【００３８】
磁束φAは、磁気経路ＭＰ２上で巻線３ａと巻線３ｂのみに鎖交するとともに、磁気経路ＭＰ３上で巻線４と巻線３ｂのみに鎖交する。
また、磁気経路ＭＰ２，ＭＰ３上には、ギャップ２３が存在するため、磁束φAのループ磁気経路（すなわち、磁気経路ＭＰ２，ＭＰ３）上において磁気抵抗が大きい。
【００３９】
したがって、磁束φAおよび巻線３ａ，３ｂ，４はリアクトルとしての機能を有する。
磁束φAにより形成される磁気経路ＭＰ２，ＭＰ３でアンペールの法則を適用すると、下式（４）の関係を得ることができる。ここで、Ｒは、ギャップ２３により形成される磁気抵抗の値である。
【００４０】
（Ｎ＋Ｎ’）×Ｉ3  ＝  Ｒ×φA      ・・・（４）
また、磁束φBの磁束量を一定にした状態で磁束φAを変化させたときに巻線３ａ，３ｂ，４に発生する誘導電圧Ｖ3a，Ｖ3b，Ｖ4は、下式（５），（６）で表される。
【００４１】
【数２】
2014207373.tif 000004
式（４）〜式（６）により表される特徴は、図２に示すカップルドインダクタ５２と等価である。
【００４２】
カップルドインダクタ５２は、磁束φAが、巻数が（Ｎ’＋Ｎ／２）である巻線５２ａと、巻数が（Ｎ／２）である巻線５２ｂに鎖交するとともに、磁気抵抗を形成するギャップ５２ｃを通過するように構成されている。
【００４３】
なお、カップルドインダクタ５２の二つの巻線５２ａ，５２ｂには、コモンモードチョークコイルの作用により等しい電流が流れる。すなわち、電流Ｉ4が流れる巻線を、電流Ｉ3が流れる巻線に置き換えても回路機能としては等価である。
【００４４】
このため、図３に示すように、カップルドインダクタ５２をリアクトル５３に置き換えることができる。図３は、図２と同じ回路機能を有する回路を示す図である。
リアクトル５３は、磁束φAが、巻数が（Ｎ’＋Ｎ）である巻線５３ａに鎖交するとともに、磁気抵抗を形成するギャップ５３ｂを通過するように構成されている。
【００４５】
そして、コモンモードチョークコイル５１とリアクトル５３は互いに直列に接続されている。したがってフィルタ部品１は、互いに直列に接続されているリアクトルとコモンモードチョークコイルの機能を備えている。
【００４６】
このように構成されたフィルタ部品１は、導線を巻き回して形成された巻線３ａと、巻線３ａとは別に通電され、導線を巻き回して形成された巻線４と、導線を巻き回して形成され、巻線３ａに対して直列接続される巻線３ｂと、巻線３ａ、巻線４および巻線３ｂが巻き回されて、巻線３ａ、巻線４および巻線３ｂへの通電で生じる磁束により内部に磁路が形成される磁心２とを備える。また磁心２は、その内部に、巻線３ａおよび巻線４が鎖交するとともに巻線３ｂが鎖交することなく磁心２の内部を磁束が周回する磁気経路ＭＰ１と、巻線３ａおよび巻線３ｂが鎖交するとともに巻線４が鎖交することなく磁心２の内部を磁束が周回する磁気経路ＭＰ２とを形成することが可能な形状に形成される。さらに巻線３ａおよび巻線４は、巻線３ａおよび巻線４に通電した場合に、磁気経路ＭＰ１に囲まれた開口部に電流が流れ込む向きが互いに逆となるように磁心２に巻き回される。また巻線３ａおよび巻線３ｂは、互いに直列に接続された巻線３ａおよび巻線３ｂに通電した場合に、磁気経路ＭＰ２に囲まれた開口部に電流が流れ込む向きが互いに同じとなるように磁気経路ＭＰ２に巻き回される。
【００４７】
このようにフィルタ部品１は、巻線３ａおよび巻線４が鎖交する磁気経路ＭＰ１を備え、巻線３ａおよび巻線４は、磁気経路ＭＰ１に囲まれた開口部に電流が流れ込む向きが互いに逆となるように巻き回されている。すなわち磁気経路ＭＰ１は、周知のコモンモードチョークコイルを構成する。
【００４８】
さらにフィルタ部品１は、互いに直列接続された巻線３ａおよび巻線３ｂが鎖交する磁気経路ＭＰ２を備え、巻線３ａおよび巻線３ｂは、磁気経路ＭＰ２に囲まれた開口部に電流が流れ込む向きが互いに同じとなるように巻き回されている。すなわち磁気経路ＭＰ２は、巻線３ａの巻数と巻線３ｂの巻数とを加算した巻数で巻線が磁心に巻き回されたリアクトルを構成する。
【００４９】
このためフィルタ部品１は、コモンモードチョークコイルとリアクトルの機能を有する。
さらに、コモンモードチョークコイルの巻数は、巻線３ａと巻線４の巻数により決定され、リアクトルの巻数は、巻線３ａと巻線３ｂの巻数により決定される。このため、巻線３ａと巻線４の巻数を変えることなく巻線３ｂの巻数を変えることにより、コモンモードチョークコイルの巻数を変えることなくリアクトルの巻数を変えることができる。
【００５０】
従って、フィルタ部品１によれば、フィルタ部品１を構成するコモンモードチョークコイルとリアクトルとで互いに独立に巻数を設計することができる。
また、巻線３ａが磁気経路ＭＰ１に鎖交する巻数は、巻線４が磁気経路ＭＰ１に鎖交する巻数に等しい。これにより、巻線３ａと巻線４に同じ大きさの電圧が印加された場合に、巻線３ａと巻線４で発生する磁束量を等しくすることができる。このため、巻線３ａと巻線４にディファレンシャルモードノイズが印加された場合に、ディファレンシャルモードノイズが巻線３ａに印加されたことにより発生する磁束と、ディファレンシャルモードノイズが巻線４に印加されたことにより発生する磁束とを互いに打ち消しあうことができる。したがって、フィルタ部品１を構成するコモンモードチョークコイルは、ディファレンシャルモードノイズの伝達を抑制することなくコモンモードノイズの伝達を抑制することができる能力を向上させることができる。
【００５１】
また磁心２は、その内部に、磁気経路ＭＰ１および磁気経路ＭＰ２に加えて、巻線４および巻線３ｂが鎖交するとともに巻線３ａが鎖交することなく磁心２の内部を磁束が周回する磁気経路ＭＰ３を形成することが可能な形状に形成されている。また磁心２では、前記巻線４および巻線３ｂが、磁気経路ＭＰ３に囲まれた開口部に電流が流れ込む向きが互いに同じとなるように磁心２に巻き回される。
【００５２】
すなわち磁気経路ＭＰ３は、巻線４の巻数と巻線３ｂの巻数とを加算した巻数で巻線が磁心に巻き回されたリアクトルを構成する。
これによりフィルタ部品１は、磁気経路ＭＰ２により形成されるリアクトルに加えて、磁気経路ＭＰ３により形成されるリアクトルが追加されるため、ディファレンシャルモードノイズの伝達を抑制する能力を向上させることができる。なお図３のリアクトル５３は、これら二つのリアクトルを併せた回路機能を等価的に一個のリアクトルとして表現したものである。
【００５３】
また、磁気経路ＭＰ２，ＭＰ３上にはギャップ２３が存在するため、磁気経路ＭＰ２，ＭＰ３の磁気抵抗は磁気経路ＭＰ１の磁気抵抗より大きい。これにより、磁気経路ＭＰ２，ＭＰ３により形成されるリアクトルにおいて直流電流による磁気飽和を抑制することができる。
【００５４】
以上説明した実施形態において、巻線３ａは本発明における第１巻線、巻線４は本発明における第２巻線、巻線３ｂは本発明における第３巻線、磁心２は本発明における磁心、磁気経路ＭＰ１は本発明における第１磁気経路、磁気経路ＭＰ２は本発明における第２磁気経路、磁気経路ＭＰ３は本発明における第３磁気経路である。
【００５５】
また、左辺部材１１は本発明における第１巻線用部材、右辺部材１２は本発明における第２巻線用部材、中足磁心部材２１，２２は本発明における第３巻線用部材、上辺部材１３は本発明における第１連結部材、下辺部材１４は本発明における第２連結部材である。
【００５６】
（第２実施形態）
以下に本発明の第２実施形態を図面とともに説明する。なお第２実施形態では、第１実施形態と異なる部分を説明する。
【００５７】
第２実施形態のフィルタ部品１は、図４に示すように、磁心２と巻線３，４を備える。
巻線３は、左辺部材１１および中足磁心部材２１のそれぞれに巻き回される。なお、左辺部材１１における巻線３の巻数はＮ（Ｎは正の整数）、中足磁心部材２１における巻線３の巻数はＮ’（Ｎ’は正の整数）である。
【００５８】
以下、巻線３のうち、左辺部材１１に巻き回されている部分を巻線３ｃ、中足磁心部材２１に巻き回されている部分を巻線３ｄという。
そして巻線３は、巻線３の一端３１から他端３２に向けて電流が流れる場合に（図４中の矢印Ｉ3を参照）、まず左辺部材１１に巻き回されている部分から電流が流れ、その後に中足磁心部材２１に巻き回されている部分に電流が流れるように巻き回されている。
【００５９】
さらに巻線３は、巻線３の一端３１から他端３２に向けて電流Ｉ3が流れる場合に、図４において左辺部材１１の上面を右側から左側に向けて電流が流れるように、左辺部材１１に巻き回されている。また巻線３は、巻線３の一端３１から他端３２に向けて電流が流れる場合に、図４において中足磁心部材２１の上面を左側から右側に向けて電流が流れるように、中足磁心部材２１に巻き回されている。
【００６０】
巻線４は、右辺部材１２および中足磁心部材２２のそれぞれに巻き回される。なお、右辺部材１２における巻線４の巻数はＮ（Ｎは正の整数）、中足磁心部材２２における巻線４の巻数はＮ’（Ｎ’は正の整数）である。
【００６１】
以下、巻線４のうち、中足磁心部材２２に巻き回されている部分を巻線４ｃ、右辺部材１２に巻き回されている部分を巻線４ｄという。
そして巻線４は、巻線４の一端４１から他端４２に向けて電流が流れる場合に（図４中の矢印Ｉ4を参照）、まず中足磁心部材２２に巻き回されている部分から電流が流れ、その後に右辺部材１２に巻き回されている部分に電流が流れるように巻き回されている。
【００６２】
さらに巻線４は、巻線４の一端４１から他端４２に向けて電流Ｉ4が流れる場合に、図４において中足磁心部材２２の上面を左側から右側に向けて電流が流れるように、中足磁心部材２２に巻き回されている。また巻線４は、巻線４の一端４１から他端４２に向けて電流が流れる場合に、図４において右辺部材１２の上面を右側から左側に向けて電流が流れるように、右辺部材１２に巻き回されている。
【００６３】
このように構成されたフィルタ部品１は、図５に示すように、巻数がＮであるコモンモードチョークコイル６１と、巻数が（Ｎ’＋Ｎ／２）であるカップルドインダクタ６２を互いに直列に接続したものと等価である。
【００６４】
また、このように構成されたフィルタ部品１は、導線を巻き回して形成された巻線３ｃと、巻線３ｃとは別に通電され、導線を巻き回して形成された巻線４ｄと、導線を巻き回して形成され、巻線３ｃに対して直列接続される巻線３ｄと、導線を巻き回して形成され、巻線４ｄに対して直列接続される巻線４ｃとを備え、巻線３ｃ、巻線４ｄ、巻線３ｂおよび巻線４ｃが巻き回されて、巻線３ｃ、巻線４ｄ、巻線３ｂおよび巻線４ｃへの通電で生じる磁束により磁路が形成される磁心２とを備える。
【００６５】
また磁心２は、その内部に、巻線３ｃおよび巻線４ｄが鎖交するとともに巻線３ｄおよび巻線４ｃが鎖交することなく磁心２の内部を磁束が周回する磁気経路ＭＰ１と、巻線３ｃ、巻線４ｃおよび巻線３ｄが鎖交するとともに巻線４ｄが鎖交することなく磁心２の内部を磁束が周回する磁気経路ＭＰ２と、巻線４ｃ、巻線３ｄおよび巻線４ｄが鎖交するとともに巻線３ｃが鎖交することなく磁心２の内部を磁束が周回する磁気経路ＭＰ３とを形成することが可能な形状に形成される。
【００６６】
さらに巻線３ｃおよび巻線４ｄは、巻線３ｃから巻線４ｄにかけて通電した場合に、磁気経路ＭＰ１に囲まれた開口部に電流が流れ込む向きが互いに逆となるように磁心２に巻き回される。また巻線３ｃおよび巻線３ｄは、互いに直列に接続された巻線３ｃおよび巻線３ｄに通電した場合に、磁気経路ＭＰ２に囲まれた開口部に電流が流れ込む向きが互いに同じとなるように磁気経路ＭＰ２に巻き回される。同様に巻線４ｃおよび巻線４ｄは、互いに直列に接続された巻線４ｃおよび巻線４ｄに通電した場合に、磁気経路ＭＰ３に囲まれた開口部に電流が流れ込む向きが互いに同じとなるように磁気経路ＭＰ３に巻き回される。
【００６７】
このようにフィルタ部品１は、巻線３ｃおよび巻線４ｄが鎖交する磁気経路ＭＰ１を備え、巻線３ｃおよび巻線４ｄは、磁気経路ＭＰ１に囲まれた開口部に電流が流れ込む向きが互いに逆となるように巻き回されている。すなわち磁気経路ＭＰ１は、周知のコモンモードチョークコイルを構成する。
【００６８】
さらにフィルタ部品１は、互いに直列接続された巻線３ｃ、巻線４ｃおよび巻線３ｄが鎖交する磁気経路ＭＰ２を備え、巻線３ｃおよび巻線３ｄは、磁気経路ＭＰ２に囲まれた開口部に電流が流れ込む向きが互いに同じとなるように巻き回されている。加えて巻線４ｃは、磁気経路ＭＰ２に囲まれた開口部に巻線３ｃおよび巻線３ｄと同じ方向で電流が流れ込むように巻き回されている。よって、磁気経路ＭＰ２は、巻線３ｃの巻数、巻線３ｄの巻数、および巻線４ｃの巻数を加算した巻数で巻線が磁心に巻き回されたカップルドインダクタを構成する。
【００６９】
同様にフィルタ部品１は、互いに直列接続された巻線４ｃ、巻線３ｄおよび巻線４ｄが鎖交する磁気経路ＭＰ３を備え、巻線４ｃおよび巻線４ｄは、磁気経路ＭＰ３に囲まれた開口部に電流が流れ込む向きが互いに同じとなるように巻き回されている。加えて巻線３ｄは、磁気経路ＭＰ３に囲まれた開口部に巻線４ｃおよび巻線４ｄと同じ方向で電流が流れ込むように巻き回されている。よって、磁気経路ＭＰ３は、巻線４ｃの巻数、巻線３ｄの巻数、および巻線４ｄの巻数を加算した巻数で巻線が磁心に巻き回されたカップルドインダクタを構成する。
【００７０】
なお、図５のカップルドインダクタ６２は、磁気経路ＭＰ２および磁気経路ＭＰ３によって作られるカップルドインダクタを併せた回路機能を等価的に１個のカップルドインダクタとして表現している。
【００７１】
すなわち、互いに直列接続された巻線３ｃおよび巻線３ｄ（すなわち、巻線３）は、コモンモードチョークコイル６１の一部とカップルドインダクタ６２の一部を構成し、互いに直列接続された巻線４ｃおよび巻線４ｄ（すなわち、巻線４）も同様に、コモンモードチョークコイル６１の一部とカップルドインダクタ６２の一部を構成する。したがって、巻線３と巻線４はともに、コモンモードチョークコイルとカップルドインダクタとで構成されているという点で、フィルタ部品１は、巻線３と巻線４との間で、コモンモードチョークコイルとカップルドインダクタとで構成される回路構成を対称にすることができる。これにより、巻線３と巻線４との間で発生する誘導電圧が非対称になることに起因してコモンモード電流が発生し易くなるのを抑制することができる。
【００７２】
また、巻線３ｄと巻線４ｃの巻数は互いに等しいため、フィルタ部品１は、カップルドインダクタ６２のうち巻線３で構成されている部分と巻線４で構成されている部分とを対称にすることができる。これにより、巻線３と巻線４との間で発生する誘導電圧が非対称になることに起因してコモンモード電流が発生し易くなるのを更に抑制することができる。
【００７３】
以上説明した実施形態において、巻線３ｃは本発明における第１巻線、巻線４ｄは本発明における第２巻線、巻線３ｂは本発明における第３巻線、巻線４ｃは本発明における第４巻線である。
【００７４】
また、中足磁心部材２１，２２は本発明における第４巻線用部材、上辺部材１３は本発明における第３連結部材、下辺部材１４は本発明における第４連結部材である。
（第３実施形態）
以下に本発明の第３実施形態を図面とともに説明する。なお第３実施形態では、第１実施形態と異なる部分を説明する。
【００７５】
第３実施形態のフィルタ部品１は、図６に示すように、磁心２と巻線３，４を備える。
巻線３は、左辺部材１１および中足磁心部材２２のそれぞれに巻き回される。なお、左辺部材１１における巻線３の巻数はＮ（Ｎは正の整数）、中足磁心部材２２における巻線３の巻数はＮ’（Ｎ’は正の整数）である。
【００７６】
以下、巻線３のうち、左辺部材１１に巻き回されている部分を巻線３ｅ、中足磁心部材２２に巻き回されている部分を巻線３ｆという。
そして巻線３は、巻線３の一端３１から他端３２に向けて電流が流れる場合に（図６中の矢印Ｉ3を参照）、まず左辺部材１１に巻き回されている部分から電流が流れ、その後に中足磁心部材２２に巻き回されている部分に電流が流れるように巻き回されている。
【００７７】
さらに巻線３は、巻線３の一端３１から他端３２に向けて電流Ｉ3が流れる場合に、図６において左辺部材１１の上面を右側から左側に向けて電流が流れるように、左辺部材１１に巻き回されている。また巻線３は、巻線３の一端３１から他端３２に向けて電流が流れる場合に、図６において中足磁心部材２２の上面を左側から右側に向けて電流が流れるように、中足磁心部材２２に巻き回されている。
【００７８】
巻線４は、左辺部材１１と中足磁心部材２１をまとめて周回するように巻き回される。なお、巻線４の巻数はＮである。そして巻線４は、巻線４の一端４１から他端４２に向けて電流Ｉ4が流れる場合に（図６中の矢印Ｉ4を参照）、図６において左辺部材１１および中足磁心部材２１の上面を左側から右側に向けて電流が流れるように巻き回されている。
【００７９】
フィルタ部品１は、互いに独立した磁束φCと磁束φDの重ね合わせとして表すことができる。
磁束φCは、巻線３，４への通電で生じ、磁気経路ＭＰ１１を形成する。磁気経路ＭＰ１１は、左辺部材１１と右辺部材１２と上辺部材１３と下辺部材１４の内部を通過する閉磁路である。
【００８０】
磁束φCは、巻線３ｅと巻線４のみに鎖交する。また、磁気経路ＭＰ１１上には、中足磁心部材２１と中足磁心部材２２との間に形成されているようなギャップ（ギャップ２３）が存在しないため、磁束φCのループ磁気経路（すなわち、磁気経路ＭＰ１１）上において磁気抵抗が小さい。
【００８１】
したがって、磁束φCおよび巻線３ｅ，４はコモンモードチョークコイルを形成する。
磁束φDは、巻線３，４への通電で生じ、磁気経路ＭＰ１２，ＭＰ１３を形成する。
磁気経路ＭＰ１２は、左辺部材１１と、中足磁心部材２１，２２と、上辺部材１３および下辺部材１４における中足磁心部材２１，２２を挟んで左側の部分の内部を通過する閉磁路である。
【００８２】
磁気経路ＭＰ１３は、右辺部材１２と、中足磁心部材２１，２２と、上辺部材１３および下辺部材１４における中足磁心部材２１，２２を挟んで右側の部分の内部を通過する閉磁路である。
【００８３】
磁束φDは、磁気経路ＭＰ１２上で巻線３ｅと巻線３ｆのみに鎖交するとともに、磁気経路ＭＰ１３上で巻線４と巻線３ｆのみに鎖交する。
また、磁気経路ＭＰ１２，ＭＰ１３上には、ギャップ２３が存在するため、磁束φDのループ磁気経路（すなわち、磁気経路ＭＰ１２，ＭＰ１３）上において磁気抵抗が大きい。
【００８４】
したがって、磁束φDおよび巻線３ｅ，３ｆ，４はリアクトルとしての機能を有する。
このように構成されたフィルタ部品１では、磁心２は、少なくとも、磁心２に巻線が巻き回される部分の全て（すなわち、巻線３，４）を含む第１磁心部（すなわち、左辺部材１１と中足磁心部材２１，２２）と、巻線が全く巻き回されていない第２磁心部（すなわち、上辺部材１３、下辺部材１４、および右辺部材１２）とにより構成されている。そして、第２磁心部は一区間を残して、第１磁心部の外縁を周回するように配置されている。これにより、巻線が全く巻き回されていない第２磁心部が、第１磁心部から磁束が漏れるのを防ぐ磁気シールドとして機能し、フィルタ部品１と、フィルタ部品１の周辺に配置された回路との間で電磁的干渉が発生するのを抑制することができる。
【００８５】
以上説明した実施形態において、巻線３ｅは本発明における第１巻線、巻線４は本発明における第２巻線、巻線３ｆは本発明における第３巻線、磁気経路ＭＰ１１は本発明における第１磁気経路、磁気経路ＭＰ１２は本発明における第２磁気経路、磁気経路ＭＰ１３は本発明における第３磁気経路である。
【００８６】
（第４実施形態）
以下に本発明の第４実施形態を図面とともに説明する。なお第４実施形態では、第１実施形態と異なる部分を説明する。
【００８７】
第４実施形態のフィルタ部品１は、図７に示すように、磁心２と巻線３，４を備える。
磁心２は、枠状磁心部材１０と中足磁心部材２１，２２と中足磁心部材２４とから構成されている。
【００８８】
中足磁心部材２４は、枠状磁心部材１０の左辺部材１１と中足磁心部材２１，２２との間で、上辺部材１３から、枠状磁心部材１０の枠内に向かって、上辺部材１３に対して垂直方向に突出し、上辺部材１３から下辺部材１４に掛け渡すように配置されている。
【００８９】
巻線３は、中足磁心部材２４および中足磁心部材２２のそれぞれに巻き回される。なお、中足磁心部材２４における巻線３の巻数はＮ（Ｎは正の整数）、中足磁心部材２２における巻線３の巻数はＮ’（Ｎ’は正の整数）である。
【００９０】
以下、巻線３のうち、中足磁心部材２４に巻き回されている部分を巻線３ｇ、中足磁心部材２２に巻き回されている部分を巻線３ｈという。
そして巻線３は、巻線３の一端３１から他端３２に向けて電流が流れる場合に（図７中の矢印Ｉ3を参照）、まず中足磁心部材２４に巻き回されている部分から電流が流れ、その後に中足磁心部材２２に巻き回されている部分に電流が流れるように巻き回されている。
【００９１】
さらに巻線３は、巻線３の一端３１から他端３２に向けて電流Ｉ3が流れる場合に、図７において中足磁心部材２４の上面を右側から左側に向けて電流が流れるように、中足磁心部材２４に巻き回されている。また巻線３は、巻線３の一端３１から他端３２に向けて電流が流れる場合に、図７において中足磁心部材２２の上面を左側から右側に向けて電流が流れるように、中足磁心部材２２に巻き回されている。
【００９２】
巻線４は、中足磁心部材２４と中足磁心部材２１をまとめて周回するように巻き回される。なお、巻線４の巻数はＮである。そして巻線４は、巻線４の一端４１から他端４２に向けて電流Ｉ4が流れる場合に（図７中の矢印Ｉ4を参照）、図７において中足磁心部材２４および中足磁心部材２１の上面を左側から右側に向けて電流が流れるように巻き回されている。
【００９３】
フィルタ部品１は、互いに独立した磁束φEと磁束φFの重ね合わせとして表すことができる。
磁束φEは、巻線３，４への通電で生じ、磁気経路ＭＰ２１を形成する。磁気経路ＭＰ２１は、中足磁心部材２４と、右辺部材１２と、上辺部材１３および下辺部材１４における中足磁心部材２４を挟んで右側の部分の内部を通過する閉磁路である。
【００９４】
磁束φEは、巻線３ｇと巻線４のみに鎖交する。また、磁気経路ＭＰ２１上には、中足磁心部材２１と中足磁心部材２２との間に形成されているようなギャップ（ギャップ２３）が存在しないため、磁束φEのループ磁気経路（すなわち、磁気経路ＭＰ２１）上において磁気抵抗が小さい。
【００９５】
したがって、磁束φEおよび巻線３ｇ，４はコモンモードチョークコイルを形成する。
磁束φFは、巻線３，４への通電で生じ、磁気経路ＭＰ２２，ＭＰ２３を形成する。
磁気経路ＭＰ２２は、中足磁心部材２４と、中足磁心部材２１，２２と、上辺部材１３および下辺部材１４における中足磁心部材２４と中足磁心部材２１，２２との間の部分の内部を通過する閉磁路である。
【００９６】
磁気経路ＭＰ２３は、右辺部材１２と、中足磁心部材２１，２２と、上辺部材１３および下辺部材１４における中足磁心部材２１，２２を挟んで右側の部分の内部を通過する閉磁路である。
【００９７】
磁束φFは、磁気経路ＭＰ２２上で巻線３ｇと巻線３ｈのみに鎖交するとともに、磁気経路ＭＰ２３上で巻線４と巻線３ｈのみに鎖交する。
また、磁気経路ＭＰ２２，ＭＰ２３上には、ギャップ２３が存在するため、磁束φFのループ磁気経路（すなわち、磁気経路ＭＰ２２，ＭＰ２３）上において磁気抵抗が大きい。
【００９８】
したがって、磁束φFおよび巻線３ｇ，３ｈ，４はリアクトルとしての機能を有する。
このように構成されたフィルタ部品１では、磁心２は、少なくとも、磁心２に巻線が巻き回される部分の全て（すなわち、巻線３，４）を含む第１磁心部（すなわち、中足磁心部材２１，２２，２４）と、巻線が全く巻き回されていない第２磁心部（すなわち、上辺部材１３、下辺部材１４、左辺部材１１および右辺部材１２）とにより構成されている。そして、第２磁心部は第１磁心部の外縁を周回するように配置されている。これにより、巻線が全く巻き回されていない第２磁心部が、第１磁心部から磁束が漏れるのを防ぐ磁気シールドとして機能し、フィルタ部品１と、フィルタ部品１の周辺に配置された回路との間で電磁的干渉が発生するのを抑制することができる。
【００９９】
以上説明した実施形態において、巻線３ｇは本発明における第１巻線、巻線４は本発明における第２巻線、巻線３ｈは本発明における第３巻線、磁気経路ＭＰ２１は本発明における第１磁気経路、磁気経路ＭＰ２２は本発明における第２磁気経路、磁気経路ＭＰ２３は本発明における第３磁気経路である。
【０１００】
（第５実施形態）
以下に本発明の第５実施形態を図面とともに説明する。なお第５実施形態では、第３実施形態と異なる部分を説明する。
【０１０１】
第５実施形態のフィルタ部品１は、図８に示すように、磁心２と巻線３，４，５を備える。
磁心２は、枠状磁心部材１０と、中足磁心部材２１，２２と、中足磁心部材２５，２６とから構成されている。
【０１０２】
中足磁心部材２５は、枠状磁心部材１０の右辺部材１２と中足磁心部材２１，２２との間で、上辺部材１３から、枠状磁心部材１０の枠内に向かって、上辺部材１３に対して垂直方向に突出するように配置されている。
【０１０３】
中足磁心部材２６は、枠状磁心部材１０の右辺部材１２と中足磁心部材２１，２２との間で、下辺部材１４から、枠状磁心部材１０の枠内に向かって、下辺部材１４に対して垂直方向に突出するように配置されている。また中足磁心部材２６は、中足磁心部材２５に対して予め設定された間隔を空けて、中足磁心部材２６の突出方向に沿って中足磁心部材２５と対向するように配置されている。これにより、中足磁心部材２５と中足磁心部材２６との間にギャップ２７が形成される。
【０１０４】
巻線５は、中足磁心部材２５，２６のそれぞれに巻き回される。そして、巻線５への通電で生じた磁束φGは、磁気経路ＭＰ１４を形成する。磁気経路ＭＰ１４は、中足磁心部材２５，２６と、右辺部材１２と、上辺部材１３および下辺部材１４における中足磁心部材２５，２６を挟んで右側の部分の内部を通過する閉磁路である。磁気経路ＭＰ１４は、磁気抵抗を形成するギャップ２７を通過する。したがって、磁束φGおよび巻線５はリアクトルとしての機能を有する。
【０１０５】
なお、磁気部品中の磁束は、巻線が巻き回されておらず且つ磁気抵抗も小さい経路を優先的に通過する傾向がある。このため、巻線５への通電で生じる磁束φGは、左辺部材１１および中足磁心部材２１，２２ではなく右辺部材１２を通過する。このため、巻線５により構成される磁気部品と、巻線３，４により構成される磁気部品との間で電磁的干渉が発生するのを抑制することができる。
【０１０６】
（第６実施形態）
以下に本発明の第６実施形態を図面とともに説明する。なお第６実施形態では、第３実施形態と異なる部分を説明する。
【０１０７】
第６実施形態のフィルタ部品１は、図９に示すように、磁心２と巻線３，４，６，７を備える。
磁心２は、枠状磁心部材１０と、中足磁心部材２１，２２と、中足磁心部材２８とから構成されている。
【０１０８】
中足磁心部材２８は、枠状磁心部材１０の右辺部材１２と中足磁心部材２１，２２との間で、上辺部材１３から、枠状磁心部材１０の枠内に向かって、上辺部材１３に対して垂直方向に突出し、上辺部材１３から下辺部材１４に掛け渡すように配置されている。
【０１０９】
巻線６，７は、中足磁心部材２８に巻き回される。そして、巻線６，７への通電で生じた磁束φHは、磁気経路ＭＰ１５を形成する。磁気経路ＭＰ１５は、中足磁心部材２８と、右辺部材１２と、上辺部材１３および下辺部材１４における中足磁心部材２８を挟んで右側の部分の内部を通過する閉磁路である。すなわち、巻線６への通電で生じた磁束により形成される磁気経路は巻線７に鎖交するとともに、巻線７への通電で生じた磁束により形成される磁気経路は巻線６に鎖交する。したがって、磁束φGおよび巻線６，７はトランスとしての機能を有する。
【０１１０】
なお、磁気部品中の磁束は、巻線が巻き回されておらず且つ磁気抵抗も小さい経路を優先的に通過する傾向がある。このため、巻線６，７への通電で生じる磁束φHは、左辺部材１１および中足磁心部材２１，２２ではなく右辺部材１２を通過する。このため、巻線６，７により構成される磁気部品と、巻線３，４により構成される磁気部品との間で電磁的干渉が発生するのを抑制することができる。
【０１１１】
（第７実施形態）
以下に本発明の第７実施形態を図面とともに説明する。なお第７実施形態では、第１実施形態と異なる部分を説明する。
【０１１２】
第７実施形態のフィルタ部品１は、図１０に示すように、磁心２と巻線３，４とコモンモードノイズ除去コンデンサ回路７１，７６を備える。
コモンモードノイズ除去コンデンサ回路７１は、コンデンサ７２とコンデンサ７３を備える。コンデンサ７２は、一端が、巻線３において巻線３ａから巻線３ｂに到るまでの電流経路の間に接続されるとともに、他端がグランドＧＮＤに接地される。コンデンサ７３は、一端が、巻線４において一端４１から右辺部材１２に巻き回されるまでの電流経路の間に接続されるとともに、他端がグランドＧＮＤに接地される。
【０１１３】
コモンモードノイズ除去コンデンサ回路７６は、コンデンサ７７とコンデンサ７８を備える。コンデンサ７７は、一端が、巻線３において一端３１から巻線３ａに到るまでの電流経路の間に接続されるとともに、他端がグランドＧＮＤに接地される。コンデンサ７８は、一端が、巻線４において他端４２から右辺部材１２に巻き回されるまでの電流経路の間に接続されるとともに、他端がグランドＧＮＤに接地される。
【０１１４】
図１１は、第７実施形態のフィルタ部品１の等価回路を示す図である。
図１１に示すように、コモンモードノイズ除去コンデンサ回路７１は、カップルドインダクタ５２の中点タップに配置されている。このため、ノイズ電流がコモンモードノイズ除去コンデンサ回路７１を介して巻線３と巻線４との間で流れる場合には、コンデンサにより平滑できる周波数成分に対してカップルドインダクタ５２はリアクトルの機能を果たさない。これが問題となる場合にはコモンモードノイズ除去コンデンサ回路７１に付与するコンデンサの容量を十分に小さくしなくてはならない。
【０１１５】
このように構成されたフィルタ部品１では、巻線３ａおよび巻線４は、その一端部および他端部が、容量性のインピーダンスを有するコンデンサ７２，７３，７７，７８を介して接地されている。これによりフィルタ部品１は、コモンモードチョークコイルを形成する巻線３ａおよび巻線４に流れるコモンモードノイズ電流をコンデンサ７２，７３，７７，７８を介してグランドＧＮＤへ流すことができ、コモンモードノイズの減衰能力を向上させることができる。
【０１１６】
以上説明した実施形態において、コンデンサ７２，７３，７７，７８は本発明におけるノイズ除去部である。
（第８実施形態）
以下に本発明の第８実施形態を図面とともに説明する。なお第８実施形態では、第７実施形態と異なる部分を説明する。
【０１１７】
第８実施形態のフィルタ部品１は、図１２に示すように、コモンモードノイズ除去コンデンサ回路７１の構成が変更された点以外は第７実施形態と同じである。
そしてコモンモードノイズ除去コンデンサ回路７１は、コモンモードチョークコイル７４が追加された点以外は第７実施形態と同じである。
【０１１８】
コモンモードチョークコイル７４は、中空円筒状の磁心７４１に巻線７４２を巻き回して構成されており、巻線７４２の一端がコンデンサＣ１に接続されるとともに、巻線７４２の他端がコンデンサＣ２に接続される。これによりコモンモードチョークコイル７４は、コンデンサ７２とコンデンサ７３との間で、コンデンサ７２，７３に対して直列に接続される。
【０１１９】
また巻線７４２は、磁心７４１に巻き回される始点から終点までの間で接地される。したがってコモンモードチョークコイルＬ１は、上記の始点からグランドＧＮＤまでの間で磁心に巻き回される巻線７４２ａと、グランドＧＮＤから上記の終点までの間で磁心に巻き回される巻線７４２ｂとを互いに直列に接続して構成されている。
【０１２０】
そして巻線７４２ａは、コンデンサ７２からグランドＧＮＤに向けて電流が流れる場合に、図１２において磁心７４１の表面側から裏面側に向けて電流が磁心７４１の中空部内を通過するように、磁心７４１に巻き回されている。
【０１２１】
また巻線７４２ｂは、コンデンサ７３からグランドＧＮＤに向けて電流が流れる場合に、図１２において磁心７４１の裏面側から表面側に向けて電流が磁心７４１の中空部内を通過するように、磁心７４１に巻き回されている。
【０１２２】
これにより、図１３に示すように、巻線３からコンデンサ７２とコモンモードチョークコイル７４を通ってグランドＧＮＤに至るまでの通電経路ＥＰ１と、巻線４からコンデンサ７３とコモンモードチョークコイル７４を通ってグランドＧＮＤに至るまでの通電経路ＥＰ２の何れか一方を経由してグランドＧＮＤに流れる電流が許容される。また、巻線３からコンデンサ７２とコモンモードチョークコイル７４とコンデンサ７３を通って巻線４に至るまでの通電経路ＥＰ３で電流が流れるのが阻止される。このため、ノイズ電流がコモンモードノイズ除去コンデンサ回路７１を介して巻線３と巻線４との間で流れることがなくなり、コンデンサにより平滑できる周波数成分に対してカップルドインダクタ５２はリアクトルの機能を果たすことができる。
【０１２３】
このようにコモンモードチョークコイル７４を追加することにより、リアクトルの機能を損なうことなく、コモンモードノイズ除去コンデンサ回路７１に付与するコンデンサの容量を大きくすることができる。なお、コモンモードノイズ除去コンデンサ回路７１の通電電流はフィルタ部品１の通電電流と比較して十分小さい。このため、コモンモードチョークコイルＬ１の体格をフィルタ部品１よりも十分小さくすることができる。
【０１２４】
以上説明した実施形態において、コンデンサ７２は本発明における第１ノイズ除去部、コンデンサ７３は本発明における第２ノイズ除去部、通電経路ＥＰ１は本発明における第１通電経路、通電経路ＥＰ２は本発明における第２通電経路、コモンモードチョークコイル７４は本発明における通電阻止部である。
【０１２５】
（第９実施形態）
以下に本発明の第９実施形態を図面とともに説明する。なお第９実施形態では、第１実施形態と異なる部分を説明する。
【０１２６】
第９実施形態のフィルタ部品１は、図１４に示すように、磁心２と巻線３，８，９を備える。
巻線８は、右辺部材１２に巻き回される。なお、右辺部材１２における巻線８の巻数はＮである。そして巻線８は、巻線８の一端８２から他端８１に向けて電流Ｉ8が流れる場合に（図１４中の矢印Ｉ8を参照）、図１４において右辺部材１２の上面を右側から左側に向けて電流が流れるように、右辺部材１２に巻き回されている。
【０１２７】
巻線９は、右辺部材１２に巻き回される。なお、右辺部材１２における巻線９の巻数はＮである。そして巻線９は、巻線９の一端９２から他端９１に向けて電流Ｉ9が流れる場合に（図１４中の矢印Ｉ9を参照）、図１４において右辺部材１２の上面を右側から左側に向けて電流が流れるように、右辺部材１２に巻き回されている。
【０１２８】
このように構成されたフィルタ部品１は、磁気抵抗が小さい磁気経路ＭＰ１に３つの巻線３，８，９が鎖交しており、図１５に示すように、三相のコモンモードチョークコイルと等価な機能を有する。
【０１２９】
以上説明した実施形態において、巻線３は本発明における第１巻線、巻線８は本発明における第２巻線、巻線９は本発明における第５巻線である。
（第１０実施形態）
以下に本発明の第１０実施形態を図面とともに説明する。
【０１３０】
本実施形態のフィルタ部品１０１は、図１６に示すように、磁心１０２と巻線１０３，１０４を備える。
磁心１０２は、上辺磁心部材１１１、下辺磁心部材１１２、外足磁心部材１１３，１１４，１１５，１１６および中足磁心部材１１７，１１８を備える。
【０１３１】
上辺磁心部材１１１および下辺磁心部材１１２は、長尺状に形成された磁性体である。そして、上辺磁心部材１１１と下辺磁心部材１１２は、その長手方向に沿って互いに平行となるように配置されている。
【０１３２】
外足磁心部材１１３は、図１６における上辺磁心部材１１１の左側端部から、下辺磁心部材１１２に向かって、上辺磁心部材１１１に対して垂直方向に突出するように配置されている。
【０１３３】
外足磁心部材１１４は、図１６における下辺磁心部材１１２の左側端部から、上辺磁心部材１１１に向かって、下辺磁心部材１１２に対して垂直方向に突出するように配置されている。また外足磁心部材１１４は、外足磁心部材１１３に対して予め設定された間隔を空けて、外足磁心部材１１４の突出方向に沿って外足磁心部材１１３と対向するように配置されている。これにより、外足磁心部材１１３と外足磁心部材１１４との間にギャップ１１９が形成される。
【０１３４】
外足磁心部材１１５は、図１６における上辺磁心部材１１１の右側端部から、下辺磁心部材１１２に向かって、上辺磁心部材１１１に対して垂直方向に突出するように配置されている。
【０１３５】
外足磁心部材１１６は、図１６における下辺磁心部材１１２の右側端部から、上辺磁心部材１１１に向かって、下辺磁心部材１１２に対して垂直方向に突出するように配置されている。また外足磁心部材１１６は、外足磁心部材１１５に対して予め設定された間隔を空けて、外足磁心部材１１６の突出方向に沿って外足磁心部材１１５と対向するように配置されている。これにより、外足磁心部材１１５と外足磁心部材１１６との間にギャップ１２０が形成される。
【０１３６】
中足磁心部材１１７は、外足磁心部材１１３，１１４と外足磁心部材１１５，１１６との間で、上辺磁心部材１１１から下辺磁心部材１１２に向かって、上辺磁心部材１１１に対して垂直方向に突出し、上辺磁心部材１１１から下辺磁心部材１１２に掛け渡すように配置されている。
【０１３７】
中足磁心部材１１８は、中足磁心部材１１７と外足磁心部材１１５，１１６との間で、上辺磁心部材１１１から下辺磁心部材１１２に向かって、上辺磁心部材１１１に対して垂直方向に突出し、上辺磁心部材１１１から下辺磁心部材１１２に掛け渡すように配置されている。
【０１３８】
巻線１０３は、中足磁心部材１１８に巻き回される（巻数はＮ）とともに、中足磁心部材１１７と中足磁心部材１１８をまとめて周回するように巻き回される（巻数はＮ’）。
以下、巻線１０３のうち、中足磁心部材１１８に巻き回されている部分を巻線１０３ａ、中足磁心部材１１７，１１８の両方に巻き回されている部分を巻線１０３ｂという。
【０１３９】
そして巻線１０３は、巻線１０３の一端１３１から他端１３２に向けて電流が流れる場合に（図１６中の矢印Ｉ103を参照）、まず中足磁心部材１１８に巻き回されている部分から電流が流れ、その後に中足磁心部材１１７と中足磁心部材１１８をまとめて周回するように巻き回されている部分に電流が流れるように巻き回されている。
【０１４０】
さらに巻線１０３は、巻線１０３の一端１３１から他端１３２に向けて電流Ｉ103が流れる場合に、図１６における磁心１０２の上面を右側から左側に向けて電流が流れるように巻き回されている。
【０１４１】
巻線１０４は、中足磁心部材１１７と中足磁心部材１１８をまとめて周回するように巻き回される（巻数はＮ’）とともに、中足磁心部材１１７に巻き回される（巻数はＮ）。
以下、巻線１０４のうち、中足磁心部材１１７に巻き回されている部分を巻線１０４ａ、中足磁心部材１１７，１１８の両方に巻き回されている部分を巻線１０４ｂという。
【０１４２】
そして巻線１０４は、巻線４の一端１４１から他端１４２に向けて電流Ｉ104が流れる場合に（図１６中の矢印Ｉ104を参照）、まず中足磁心部材１１７と中足磁心部材１１８をまとめて周回するように巻き回されている部分に電流が流れ、その後に中足磁心部材１１７に巻き回されている部分に電流が流れるように巻き回されている。
【０１４３】
さらに巻線１０４は、巻線１０４の一端１４１から他端１４２に向けて電流Ｉ104が流れる場合に、図１６における磁心１０２の上面を右側から左側に向けて電流が流れるように巻き回されている。
【０１４４】
フィルタ部品１０１は、互いに独立した磁束φIと磁束φJの重ね合わせとして表すことができる。
磁束φIは、巻線１０３，１０４への通電で生じ、磁気経路ＭＰ３１を形成する。磁気経路ＭＰ３１は、中足磁心部材１１７，１１８と、上辺磁心部材１１１および下辺磁心部材１１２における中足磁心部材１１７と中足磁心部材１１８の部分の内部を通過する閉磁路である。
【０１４５】
磁束φIは、巻線１０３ａと巻線１０４ａのみに鎖交する。また、磁気経路ＭＰ３１上には、外足磁心部材１１３，１１４と外足磁心部材１１５，１１６に形成されているようなギャップ（ギャップ１１９とギャップ１２０）が存在しないため、磁束φIのループ磁気経路（すなわち、磁気経路ＭＰ３１）上において磁気抵抗が小さい。
【０１４６】
したがって、磁束φIおよび巻線１０３ａ，１０４ａはコモンモードチョークコイルを形成する。
磁束φJは、巻線１０３，１０４への通電で生じ、磁気経路ＭＰ３２，ＭＰ３３を形成する。
【０１４７】
磁気経路ＭＰ３２は、中足磁心部材１１７と、外足磁心部材１１３，１１４と、上辺磁心部材１１１および下辺磁心部材１１２における中足磁心部材１１７を挟んで左側の部分の内部を通過する閉磁路である。
【０１４８】
磁気経路ＭＰ３３は、中足磁心部材１１８と、外足磁心部材１１５，１１６と、上辺磁心部材１１１および下辺磁心部材１１２における中足磁心部材１１８を挟んで右側の部分の内部を通過する閉磁路である。
【０１４９】
磁束φJは、磁気経路ＭＰ３２上で巻線１０３ｂと巻線１０４ａと巻線１０４ｂのみに鎖交するとともに、磁気経路ＭＰ３３上で巻線１０３ａと巻線１０３ｂと巻線１０４ｂのみに鎖交する。
【０１５０】
また、磁気経路ＭＰ３２，ＭＰ３３上には、ギャップ１１９，１２０が存在するため、磁束φJのループ磁気経路（すなわち、磁気経路ＭＰ３２，ＭＰ３３）上において磁気抵抗が大きい。
【０１５１】
したがって、磁束φJおよび巻線１０３，１０４はリアクトルとしての機能を有する。
以上説明した実施形態において、巻線１０３ａは本発明における第１巻線、巻線１０４ａは本発明における第２巻線、巻線１０３ｂは本発明における第３巻線、巻線１０４ｂは本発明における第４巻線、磁心１０２は本発明における磁心、磁気経路ＭＰ３１は本発明における第１磁気経路、磁気経路ＭＰ３２は本発明における第２磁気経路、磁気経路ＭＰ３３は本発明における第３磁気経路である。
【０１５２】
（第１１実施形態）
以下に本発明の第１１実施形態を図面とともに説明する。
本実施形態のフィルタ部品２０１は、図１７に示すように、トロイダルコア２０２，２０３，２０４と巻線２０５，２０６を備える。
【０１５３】
トロイダルコア２０２，２０３，２０４は、中空筒状に形成された磁性体である。但し、トロイダルコア２０３，２０４には、その一部にギャップ２０３ａ，２０４ａが形成される。
【０１５４】
そして、トロイダルコア２０２，２０３，２０４は、トロイダルコア２０３とトロイダルコア２０４との間にトロイダルコア２０２が挟まれるようにして配置される。
巻線２０５は、トロイダルコア２０２，２０３に鎖交するように巻き回される（巻数はＮ）とともに、トロイダルコア２０３，２０４に鎖交するように巻き回される（巻数はＮ’）。
【０１５５】
そして巻線２０５は、巻線２０５の一端２１１から他端２１２に向けて電流が流れる場合に（図１７中の矢印Ｉ205を参照）、まずトロイダルコア２０２，２０３に巻き回されている部分から電流が流れ、その後にトロイダルコア２０３，２０４に巻き回されている部分に電流が流れるように巻き回されている。
【０１５６】
さらに巻線２０５は、巻線２０５の一端２１１から他端２１２に向けて電流Ｉ205が流れる場合に、図１７におけるトロイダルコア２０２，２０３，２０４の上面を右側から左側に向けて電流が流れるように巻き回されている。
【０１５７】
巻線２０６は、トロイダルコア２０３，２０４に鎖交するように巻き回される（巻数はＮ’）とともに、トロイダルコア２０２，２０４に鎖交するように巻き回される（巻数はＮ）。
【０１５８】
そして巻線２０６は、巻線２０６の一端２２１から他端２２２に向けて電流が流れる場合に（図１７中の矢印Ｉ206を参照）、まずトロイダルコア２０３，２０４に巻き回されている部分から電流が流れ、その後にトロイダルコア２０２，２０４に巻き回されている部分に電流が流れるように巻き回されている。
【０１５９】
さらに巻線２０６は、巻線２０６の一端２２１から他端２２２に向けて電流Ｉ206が流れる場合に、図１７におけるトロイダルコア２０２，２０３，２０４の上面を右側から左側に向けて電流が流れるように巻き回されている。
【０１６０】
このように構成されたフィルタ部品２０１は、第１０実施形態のフィルタ部品１０１において磁心１０２をトロイダルコア２０２，２０３，２０４に置き換えたものを相当する。すなわち、トロイダルコア２０２，２０３，２０４内を周回する磁気経路はそれぞれ、フィルタ部品１０１の磁気経路ＭＰ３１，ＭＰ３２，ＭＰ３３に相当する。
【０１６１】
したがって、フィルタ部品２０１は、第１０実施形態のフィルタ部品１０１と同等の機能を有する。
以上説明した実施形態において、巻線２０５は本発明における第１巻線および第３巻線、巻線２０６は本発明における第２巻線および第４巻線、トロイダルコア２０２，２０３，２０４は本発明における磁心である。
【０１６２】
（フィルタ部品１の適用例）
以下に、本実施形態のフィルタ部品の適用例を図面とともに説明する。
まず図１８に示すように、リアクトルとコモンモードチョークコイルの機能を有するフィルタ部品３０１を車載バッテリ充電回路（絶縁コンバータ）３６０とバッテリ３７０との間の電流経路に設けるようにしてもよい。
【０１６３】
また図１９に示すように、リアクトルとコモンモードチョークコイルと絶縁トランスの機能を有するフィルタ部品４０１を車載バッテリ充電回路（ＰＦＣコンバータ）４６０とバッテリ４７０との間の電流経路に設けるようにしてもよい。
【０１６４】
また図２０に示すように、リアクトルとコモンモードチョークコイルの機能を有しコモンモードノイズ除去コンデンサ回路５１０が接続されたフィルタ部品５０１を、ブリッジレスＰＦＣ回路５６０と商用電源５７０との間の電流経路に設けるようにしてもよい。
【０１６５】
また図２１および図２２に示すように、リアクトルとコモンモードチョークコイルの機能を有するフィルタ部品６０１を３相交流電源６７０のフィルタとして用いるようにしてもよい。
【０１６６】
以上、本発明の一実施形態について説明したが、本発明は上記実施形態に限定されるものではなく、本発明の技術的範囲に属する限り種々の形態を採ることができる。
例えば上記第７，８実施形態では、コモンモードノイズ除去コンデンサ回路７１，７２を備えたものを示したが、コモンモードノイズ除去コンデンサ回路７１，７２の何れか一方を備えるようにしてもよい。
【符号の説明】
【０１６７】
１，１０１，２０１…フィルタ部品、２，１０２…磁心、３（３ａ，３ｂ，３ｃ，３ｄ，３ｅ，３ｆ，３ｇ，３ｈ），４，４ｃ，１０３（１０３ａ，１０３ｂ），１０４（１０４ａ），２０５，２０６…巻線、２０２，２０３，２０４…トロイダルコア
【図１】
2014207373.tif 000005
【図２】
2014207373.tif 000006
【図３】
2014207373.tif 000007
【図４】
2014207373.tif 000008
【図５】
2014207373.tif 000009
【図６】
2014207373.tif 000010
【図７】
2014207373.tif 000011
【図８】
2014207373.tif 000012
【図９】
2014207373.tif 000013
【図１０】
2014207373.tif 000014
【図１１】
2014207373.tif 000015
【図１２】
2014207373.tif 000016
【図１３】
2014207373.tif 000017
【図１４】
2014207373.tif 000018
【図１５】
2014207373.tif 000019
【図１６】
2014207373.tif 000020
【図１７】
2014207373.tif 000021
【図１８】
2014207373.tif 000022
【図１９】
2014207373.tif 000023
【図２０】
2014207373.tif 000024
【図２１】
2014207373.tif 000025
【図２２】
2014207373.tif 000026